(57)【要約】  防爆フィルムを有する立体展示キャビネットであって：透明なレイヤを有する外側のフレーム（１）と；この外側のフレーム（１）の透明なレイヤに貼り付けられた、自動車用防爆フィルム・レイヤ（２）と；数枚の棚板により形成された幾つかの展示ユニットを含む、立体棚（３）と；前記棚板の背後に配置され、光源アセンブリを有し、且つ、幾つかの光源ユニットが取り付けられた、ボトム・プレート（５）と；前記光源アセンブリと前記棚板との間に取り付けられた、バッフル（４）と；を有し、前記外側のフレーム（１）は、前記ボトム・プレート（５）に取り外し可能に接続され；前記防爆フィルム・レイヤ（２）は、その透明なレイヤが前記光源アセンブリに向かい合うように配置されている。【選択図】図１
2013500796.tif 000002
【特許請求の範囲】
【請求項１】
防爆フィルムを有する立体展示キャビネットであって：
透明なレイヤを有する外側のフレームを有し；
この外側のフレームの透明なレイヤに取り付けられた、自動車用防爆フィルム・レイヤを有し；
立体棚を有し、ここで、数個の展示ユニットが数枚の棚板により形成され；
光源装置を有するベース・プレートを、これらの棚板の背後に有し、ここで、数個の光源ユニットが、このベース・プレートに固定され；
前記光源装置を有するベース・プレートと前記立体棚との間に配置されたバッフルを有し；
前記外側のフレームは、取り外し可能な接続具でベース・プレートに接続されていること；及び、
前記防爆フィルムの透光性のレイヤは、前記光源ユニットの側に配置されていること；
を特徴とする立体展示キャビネット。
【請求項２】
下記特徴を有する請求項１に記載の防爆フィルムを有する立体展示キャビネット、
前記光源ユニットは、前記透明なレイヤに対応している。
【請求項３】
下記特徴を有する請求項２に記載の防爆フィルムを有する立体展示キャビネット、
前記光源ユニットは、環状の光チューブである。
【請求項４】
下記特徴を有する請求項３に記載の防爆フィルムを有する立体展示キャビネット、
前記透明なレイヤは、ガラス材料または有機物材料で作られている。
【請求項５】
下記特徴を有する請求項４に記載の防爆フィルムを有する立体展示キャビネット、
前記立体棚は、“＃”形状を有し、
数個の展示画像が、前記立体棚の左側、右側、後ろ側、及び底面側に貼り付けられている。
【請求項６】
下記特徴を有する請求項５に記載の防爆フィルムを有する立体展示キャビネット、
各光源ユニットは、コントロール回路を有している。
【請求項７】
下記特徴を有する請求項６に記載の防爆フィルムを有する立体展示キャビネット、
前記外側のフレームは、エッジ・コートされた構造であり、
前記自動車用防爆フィルム・レイヤは、前記透明なレイヤの内側に取り付けられている。
【発明の詳細な説明】
【技術分野】
【０００１】
本発明は、広告展示技術に係り、特に、防爆フィルムを有する立体展示キャビネットに係る。
【背景技術】
【０００２】
今日、広告ボードや広告光ボックスなどのような、広告媒体が、ショッピング・モール、スーパーマーケット、リクリエーション施設、体育館、コーヒー・ハウス、ティー・ハウス、ゴルフ・コース、空港などのような、公共の場所に、広く配置されている。しかしながら、これらの広告媒体は、それぞれ、単一の形態を有していて、大きな場所の複雑な要求に適合することが可能でない。
【０００３】
一般的に、これらの場所は、装飾的な広告に対して非状に高い要求を課している。単純な平面広告または単純な製品展示では、製品の展示者または顧客の要求に適合することが、かなり困難である。更にまた、この種の媒体は、壊れ易く、安全係数が低く、更に、人身事故を起こす可能性さえもある。
【発明の概要】
【０００４】
以上のような複雑な要求に基づき、本発明は、平面展示及び立体展示の優位性を結合し、そして、防爆フィルムを有する立体展示キャビネットを提案する。
【０００５】
特に、本発明に基づく防爆フィルムを有する立体展示キャビネットは：
透明なレイヤを有する外側のフレームを有し；
この外側のフレームの透明なレイヤに取り付けられた自動車用防爆フィルム・レイヤを有し；
立体棚を有し、ここで、数個の展示ユニットが数枚の棚板により形成され；
光源装置を有するベース・プレートを、これらの棚板の背後に有し、ここで、数個の光源ユニットが、このベース・プレートの上に固定され；
前記光源装置を有するベース・プレートと前記立体棚との間に配置されたバッフルを有し；
前記外側のフレームは、取り外し可能な接続具で、ベース・プレートに接続され；
前記防爆フィルムの透光性のレイヤは、前記光源ユニットの側に配置されている。
【０００６】
好ましくは、前記光源ユニットは、前記透明なレイヤに対応している。  
好ましくは、前記光源ユニットは、環状の光チューブである。  
好ましくは、前記透明なレイヤは、ガラス材料または有機物材料で作られている。  
好ましくは、前記立体棚は、“＃”形状を有し、数個の展示画像が、前記立体棚の左側、右側、後ろ側、及び底面側に貼り付けられる。  
好ましくは、各光源ユニットは、コントロール回路を有している。  
好ましくは、前記外側のフレームは、エッジ・コートされた構造であり、前記自動車用防爆フィルム・レイヤは、前記透明なレイヤの内側に取り付けられている。
【０００７】
本発明は、立体展示キャビネットの透明なレイヤの上に防爆フィルムを貼り付けて、安全性を大きく増大させ、立体製品展示及び平面広告の両者の機能を有している。
【図面の簡単な説明】
【０００８】
【図１】図１は、本発明の分解された状態の概略図である。
【図２】図２は、本発明の組み立てられた状態の概略図である。
【図３】図３は、本発明の使用状態の図である。
【発明を実施するための形態】
【０００９】
以下において、本発明の、以上の及びその他の目的、特徴、及び優位性が、本発明の詳細な説明から、且つ図面を参照しながら、当業者に明らかになる。
【００１０】
図１に示されているように、本発明に基づく防爆フィルムを有する立体展示キャビネットは、構造の外側から内側に向かって：
ガラスまたは透明な有機物プレートで作られたエッジ・コートされた外側のフレーム１を有し、このプレートは、一般的なガラス製の展示キャビネットの外側のプレートと同様なものであって、ベース・プレートと共に取り外し可能に取り付けられることが可能である；
自動車用防爆フィルム・レイヤ２を有し、このレイヤは、上記外側のフレーム１の内側または外側に取り付けられることが可能である；
立体棚３を有し、この棚は、“＃”格子状の形状を有する透明なレイヤが数枚の層状の棚板により形成されていて、ここで、２，４，６，８個の格子などのような、数個の格子即ち展示スペースの数個のレイヤが、広告展示の要求に応じて、展示製品６が置かれるように、配置されることが可能であり、且つここで、展示画像７が、左側、右側、後ろ側、及び底面側などのような、四つの展示サイドに貼り付けられる。
【００１１】
環状の光チューブ５１から構成された光源ユニットが、立体棚３の裏に配置されている。光源装置５は、数個の光源ユニットから構成されている。バッフル４が、光源装置を有するベース・プレート５と立体棚３との間に配置されている。このバッフルは、一般的に有機物であって、それにより、ベース・プレート５上の光源装置が、このバッフル４を通って、立体棚３の方向に向けて均一に光を照射することが可能になる。
【００１２】
ここに示されているように、ベース・プレート５上の光源装置は、数個の光源ユニットから構成され、それぞれの光源ユニットは、上記透明なレイヤの位置に対応する位置を有している。換言すれば、立体棚３の上の領域に対応する数個の溝が、ベース・プレート５上に設けられ、そこに光源ユニットが配置される。各光源ユニットは、コントロール回路を有している（図示されていない）。一般的に、環状の光チューブ５１が各溝の中に配置されている。
【００１３】
これらの部品は、図２に示されているように、上記のシーケンスに従って全体に組み立てられる。光源装置５のコントロール回路がオンにされたとき、内側の展示製品６及び展示画像７が、フィルムが貼り付けられた透明なレイヤを通して、見られることが可能である。その理由は、光が外側のフレーム１の上の自動車用防爆フィルム・レイヤ２の入射側を照射するからである。光源装置５がオフにされたとき、フィルムが貼り付けられた透明なレイヤは、共通の鏡として使用されることのみが可能である。
【００１４】
本発明は、様々な溝の中の光源ユニットを独立にコントロールすることが可能であり、それにより、図３に示されているように、展示キャビネットの様々な位置で製品及び画像を展示することが可能になる。
【００１５】
上記の構造を有する防爆フィルムを有する立体展示キャビネットを使用して、平面展示及び立体展示の二つのオブジェクトの両方が実現されることが可能であり、それにより、優れた広告展示効果を発揮する。このような構造を有する防爆フィルムを有する立体展示キャビネットは、飲料販売機、コーヒー・マシン、ペーパー・タオル販売機、アルコール類の冷蔵庫、などのような対象にも適用することが可能である。
【００１６】
上記の実施形態は、本発明の例に過ぎず、本発明を限定するものではない。様々な変形または変更が、本発明の精神及び範囲から逸脱することなく、当業者によりなされることが可能である。それ故に、全ての同等の技術的なソリューションもまた本発明の範囲内にあるべきであり、且つ特許請求の範囲により規定されるべきである。
【図１】
2013500796.tif 000003
【図２】
2013500796.tif 000004
【図３】
2013500796.tif 000005
【国際調査報告】
2013500796.tif 000006
2013500796.tif 000007
2013500796.tif 000008
2013500796.tif 000009
2013500796.tif 000010
2013500796.tif 000011